【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
インサートの縦軸線（ＡIL）を有する切削用インサート（１４）であって、
対向したインサートの上面（１４Ａ）および下面（１４Ｂ）と、
前記インサートの上面（１４Ａ）および前記インサートの下面（１４Ｂ）にそれぞれ連
結され、前記インサートの縦軸線（ＡIL）を横切って延びる対向したインサートの第１
の端面（１４Ｃ１）およびインサートの第２の端面（１４Ｃ２）と、
前記インサートの上面（１４Ａ）および前記下面（１４Ｂ）と、前記インサートの第１
の端面（１４Ｃ１）および前記インサートの第２の端面（１４Ｃ２）とにそれぞれ、連結
され、前記インサートの縦軸線（ＡIL）に沿って延びる対向したインサートの第１の側
面（１４Ｄ１）およびインサートの第２の側面（１４Ｄ２）と、
前記インサートの第１の端面（１４Ｃ１）、および、前記インサートの第１の側面（１
４Ｄ１）と前記インサート上面（１４Ａ）との共通部分に画定されるインサートの第１の
交点（１４Ｇ１）と、
前記インサートの第１の端面（１４Ｃ１）、および、前記インサートの第２の側面（１
４Ｄ２）と前記インサート上面（１４Ａ）との共通部分に画定されるインサートの第２の
交点（１４Ｈ１）と、
前記インサートの第１の交点（１４Ｇ１）から前記インサートの第２の交点（１４Ｈ１
）まで延びる刃先（１４Ｆ１）と、
前記インサートの上面（１４Ａ）および前記下面（１４Ｂ）に開口する挿入穴（３２）
と、を含み、
前記挿入穴（３２）が、
前記インサートの縦軸線（ＡIL）に沿って延び対向する該穴の第１の側面（３２Ａ１
）および第２の側面（３２Ａ２）と、
前記穴の第１の側面（３２Ａ１）および第２の側面（３２Ａ２）に連結され、前記イン
サートの縦軸線（ＡIL）を横切って延び対向した穴の第１の端面（３２Ｂ１）および穴
の第２の端面（３２Ｂ２）と、を含み、前記インサート上面（１４Ａ）の平面図において
、前記切削用インサート（１４）、および、前記挿入穴（３２）両方は、前記インサート
の縦軸線（ＡIL）に沿って細長い長円形を有し、
前記穴の第１の端面（３２Ｂ１）および前記第２の端面（３２Ｂ２）の少なくとも一方
は、クランピングリップ（３２Ｃ１、３２Ｃ２）付きで形成される切削用インサート（１
４）。
【請求項２】
前記穴の第１の側面（３２Ａ１）および前記穴の第２の側面（３２Ａ２）の各々は、ク
ランピングリップを持っていない請求項１に記載の切削用インサート（１４）。
【請求項３】
前記インサートの縦軸線（ＡIL）に垂直な方向に延び、前記挿入穴（３２）の中心を貫通する挿入穴軸線（ＡIA）と、前記インサートの縦軸線（ＡIL）および挿入穴軸線（ＡIA）に垂直に延びるインサートの幅方向軸線（ＡIW）と、前記インサートの幅方向軸線（ＡIW）および挿入穴軸線（ＡIA）に沿って延びるインサート二等分平面（ＰIB）で合流する二つのインサートの半体（１４Ｅ１，１４Ｅ２）と、をさらに含み、
前記クランピングリップ（３２Ｃ１）が、側断面図においてインサートの上面（１４Ａ）から前記インサート二等分平面（ＰIB）に向けて下方内向きに傾斜するクランピングリップの上部当接部分（３２Ｄ１）を有して構成される請求項１または請求項２に記載の切削用インサート（１４）。
【請求項４】
各前記クランピングリップ（３２Ｃ１、３２Ｃ２）は、前記インサートの上面（１４Ａ）と前記インサートの下面（１４Ｂ）との間であって、前記インサートの上面（１４Ａ）と前記インサートの下面（１４Ｂ）とから離隔される位置で、前記挿入穴（３２）の中に最も遠くに突出する突出部（３２Ｅ１、３２Ｅ２）からなる請求項１乃至３のうちのいずか一項に記載の切削用インサート（１４）。
【請求項５】
インサートの第３の交点（１４Ｉ１）は、前記インサートの下面（１４Ｂ）、前記インサートの第１の端面（１４Ｃ１）、および前記インサートの第１の側面（１４Ｄ１）の共通部分に画定され、
インサートの第４の交点（１４Ｊ１）は、前記インサートの下面（１４Ｂ）、前記インサートの第１の端面（１４Ｃ１）、および前記インサートの第２の側面（１４Ｄ２）の共通部分に画定され、
前記インサートの第１の交点（１４Ｇ１）は、前記インサートの第２の交点（１４Ｈ１）が、前記インサートの第４の交点（１４Ｊ１）に対するよりも、前記インサートの第３の交点（１４Ｉ１）により近い請求項１乃至４のうちのいずれか一項に記載の切削用インサート（１４）。
【請求項６】
前記インサートの下面（１４Ｂ）は、前記インサートの縦軸線（ＡIL）を横切る方向に前記切削用インサート（１４）が横方向の移動を防ぐためのインサートの連動装置（３４）付きで形成され、該連動装置（３４）は、前記インサートの下面（１４Ｂ）に形成され前記インサートの縦軸線（ＡIL）に沿った方向に延びる溝であって、その脇に溝の主要な凹み（３４Ａ）と、該溝の主要な凹み（３４Ａ）と前記インサートの下面（１４Ｂ）との間に延びる溝の隙間の凹み（３４Ｂ１、３４Ｂ２）とを備えて形成される溝からなる請求項１乃至５のうちのいずれか一項に記載の切削用インサート（１４）。
【請求項７】
前記インサートの上面（１４Ａ）の平面図において、前記切削用インサート（１４）の
一部は、前記インサートの縦軸線（ＡIL）を横切る方向に前記刃先（１４Ｆ１）よりも遠くに突出することはない請求項１乃至６のうちのいずれか一項に記載の切削用インサート（１４）。
【請求項８】
前記インサートの縦軸線（ＡIL）に垂直な方向に延び、前記挿入穴（３２）の中心（ＣIA）を貫通する挿入穴軸線（ＡIA）の回りに１８０度の回転対称をさらに有する請求項１乃至７のうちのいずれか一項に記載の切削用インサート（１４）。
【請求項９】
工具本体の内側部分（１２Ａ）、および、内側部分から延びる工具本体保持部（１２Ｃ）を含み、
前記工具本体保持部（１２Ｃ）は、仮想の保持面（ＰH）を有し、対向した保持用下端（１２Ｄ）および保持用上端（１２Ｅ）と、
平行な対向した保持用第１の側面（１２Ｆ１）および保持用第２の側面（１２Ｆ２）であって、それぞれが前記保持用下端（１２Ｄ）および前記保持用上端（１２Ｅ）に連結され、それぞれが前記仮想の保持面（ＰH）の異なる側に平行に位置し、平行な対向した保持用第１の側面（１２Ｆ１）および保持用第２の側面（１２Ｆ２）と、
前記工具本体の内側部分（１２Ａ）に対し前記工具本体保持部（１２Ｃ）における向かい合う側に位置し、前記保持用下端（１２Ｄ）および前記保持用上端（１２Ｅ）に連結される共に、前記保持用第１の側面（１２Ｆ１）および前記保持用第２の側面（１２Ｆ２）に連結される保持用前端（１２Ｇ）と、を含み、
前記保持用上端（１２Ｅ）は、
前記保持面（ＰH）に対して横切る方向に向けられ、前記保持用第１の側面（１２Ｆ１）および前記保持用第２の側面（１２Ｆ２）、前記保持前端（１２Ｇ）に連結されるインサートポケットの第１の支持部分（２４Ａ）と、
前記保持用前端（１２Ｇ）から離隔され、前記インサートポケットの第１の支持部分（２４Ａ）と前記保持面（ＰH）との両方に対して横切る方向に向けられるインサートポケットの第２の支持部分（２４Ｂ）と、だけによって画定されるインサートポケット（２４）を含み、
前記工具本体保持部（１２Ｃ）は、
前記インサートポケットの第１の支持部分（２４Ａ）に開口する留め具穴（２６）と、前記留め具穴（２６）に交わるねじ穴（２８）と、をさらに含み、
前記保持用上端（１２Ｅ）は、前記保持面（ＰH）に沿った方向に延びる前記インサートポケットの第１の支持部分（２４Ａ）に保持用連動装置（２４Ｃ）を含み、保持用連動装置が、前記保持面（ＰH）を横切る方向に取り付けられた切削用インサート（１４）の横方向の移動を防ぐように構成される切削工具本体（１２）。
【請求項１０】
前記工具本体保持部（１２Ｃ）は、前記留め具穴（２６）に交わる付勢用穴（３０）をさらに含み、該付勢穴（３０）および前記ねじ穴（２８）は、同心上にある請求項９に記載の切削工具本体（１２）。
【請求項１１】
請求項１乃至８のうちのいずれか一項に記載の前記切削用インサート（１４）と、
請求項９または請求項１０に記載の前記切削工具本体（１２）と、を組み合せてなる切削工具アセンブリ（１０）であって、
留め具（１８）、付勢ねじ（２０）、および、付勢装置（２２）をさらに含み、
前記留め具（１８）は、
前記留め具穴（２６）の中に受け入れ可能であり、留め具本体の第１の凹み（１８Ｅ
）および、留め具本体の第２の凹み（１８Ｆ）を有して形成される留め具本体（１８Ａ）と、前記切削用インサート（１４）を前記インサートポケット（２４）に固定するように
構成される留め具ヘッド（１８Ｂ）と、を含み、
前記留め具本体の第２の凹み（１８Ｆ）は、
前記留め具本体（１８Ａ）の留め具の外周面（１８Ｄ）から内向きに延びる第２の凹みの第１の当接面（１８Ｊ）と、
前記第２の凹みの第１の当接面（１８Ｊ）から前記留め具の外周面（１８Ｄ）へ延びる第２の凹みの第２の当接面（１８Ｋ）と、を含み、
前記第２の凹みの第２の当接面（１８Ｋ）は、前記留め具穴（２６）から前記第２の凹みの第１の当接面（１８Ｊ）よりも遠くにあり、
前記付勢ねじ（２０）は、
ねじ本体部（２０Ａ）と、前記留め具ヘッド（１８Ｂ）が前記インサートポケット（２４）に向かって移動するように前記留め具本体の第１の凹み（１８Ｅ）に係合可能なアクチュエータヘッド（２０Ｂ）と、を含み、
前記付勢装置（２２）は、前記付勢穴（３０）の中に受け入れ可能であり、
付勢部材（２２Ａ）と、前記留め具本体（１８Ａ）に対して前記付勢部材（２２Ａ）を付勢するように構成された付勢ばね（２２Ｂ）と、を含み、
前記付勢部材（２２Ａ）は、
前記インサートポケット（２４）から離れる方向に前記留め具ヘッド（１８Ｂ）を付勢するように前記第２の凹みの第１の当接面（１８Ｊ）に係合するように構成された付勢部材の第１の面（２２Ｃ）と、
前記付勢部材の第１の面（２２Ｃ）に対して横切って延び、前記第２の凹みの第２の当接面（１８Ｋ）に係合して前記留め具（１８）の前記インサートポケット（２４）からの排出を防ぐように構成された付勢部材の第２の面（２２Ｆ）と、を含む切削工具アセンブリ（１０）。
【請求項１２】
前記留め具ヘッド（１８）は、前記保持面（ＰH）に沿って離隔された前記切削用インサートの第１のクランピングリップ（３２Ｃ１）および前記切削用インサートの第２のクランピングリップ（３２Ｃ２）を同時に締め付けるように構成される請求項１１に記載の切削工具アセンブリ（１０）。
【請求項１３】
前記切削用インサート（１４）の平面図において、前記切削工具アセンブリの締め付け位置で、前記切削用インサート（１４）の各前記刃先（１４Ｆ１、１４Ｆ２）は、前記保持面（ＰH）に垂直な方向に延びる請求項１１または請求項１２に記載の切削工具アセンブリ（１０）。
【請求項１４】
前記付勢部材（２２）および前記留め具（１８）は、前記取り外し位置と前記締め付け位置の両方、ならびに、それらの間の任意の中間位置で互いに接触するように構成される請求項１１乃至請求項１３のうちのいずれか一項に記載の切削工具アセンブリ（１０）。
【請求項１５】
前記留め具本体の第１の凹み（１８Ｅ）は、第１の凹みの第１の小部分（１８Ｇ）を含
み、前記第１の凹みの第１の小部分（１８Ｇ）は、前記留め具の外周面（１８Ｄ）から延
び、前記留め具の外周面（１８Ｄ）と鈍角の内側の第１の凹みの第１の角度（γ1）をなし、第１の凹みの第２の小部分（１８Ｈ）に対し延び、第１の凹みの第２の小部分（１８Ｈ）に対し鈍角の内側の第１の凹みの第２の角度（γ2）をなす請求項１１乃至請求項１４のうちのいずれか一項に記載の切削工具アセンブリ（１０）。
【手続補正２】
【補正対象書類名】明細書
【補正対象項目名】００４９
【補正方法】変更
【補正の内容】
【００４９】
インサートの第１の端面の平面図において刃先が直線に従う実施例では、それは、所定の角度で傾斜することができる。この限定されない一例では、図３Ｂにおいて、第１の刃先１４Ｆ１は、インサートの幅方向軸ＡIWおよびインサートの縦軸線ＡILによって画定された仮想のインサートの長手方向平面ＰILに対して鈍角の刃先の第１の角度α１で傾斜されるように示されている。同様に、インサートの第１の端面１４Ｃ１の平面図において両方が直線に従うとき、そのような図において、第１の刃先１４Ｆ１は、第２の刃先１４Ｆ２と共に鈍角の刃先角の第２の角度α２を形成することができる。刃先の第１の角度α１は、０から３０°までの間とすることができる。切削用インサートが挿入穴軸線ＡIAに対して１８０度の回転対称である場合、刃先角の第２の角度α２は、刃先の第１の角度α１の２倍である。図３Ｂに見ることができるように、第１のエンド刃先１４Ｆ１および第２のエンド刃先１４Ｆ２は、インサートの縦軸線ＡILを横切る方向に、切削用インサート１４の切削幅ＷC1全体に沿って共に延びる。
【手続補正３】
【補正対象書類名】明細書
【補正対象項目名】００５３
【補正方法】変更
【補正の内容】
【００５３】
次に図３Ｅを参照すると、インサートの第１の壁１４Ｐ１は、インサートの上面１４Ａおよび下面１４Ｂの相互間であって、穴の第１の側面３２Ａ１と、インサートの第１の側面１４Ｄ１との間に画定することができ、インサートの第２の壁１４Ｐ２は、インサートの上面１４Ａおよび下面１４Ｂの相互間であって、穴の第２の側面３２Ａ２と、インサートの第２の側面１４Ｄ２との間に画定することができる。
【手続補正４】
【補正対象書類名】明細書
【補正対象項目名】００５４
【補正方法】変更
【補正の内容】
【００５４】
インサートの第１の壁１４Ｐ１は、インサートの第１の壁部１４Ｑ１と、インサートの第１の壁部１４Ｑ１とインサートの第１の端面１４Ｃ１の間に位置するインサートの第２の壁部１４Ｑ２とを備えることができる。インサートの第１の壁部１４Ｑ１および第２の壁部１４Ｑ２は、それぞれのインサートの第１の壁部の幅ＭI3および第２の壁部の幅ＭI4を有することができる。インサートの第１の壁部の幅ＭI3および第２の壁部の幅ＭI4は、穴の第１の側面３２Ａ１からインサートの第１の側面１４Ｄ１まで、インサートの縦軸線ＡILに垂直な方向、すなわちインサートの幅方向軸線ＡIWに沿ってそれぞれ測定することができる。インサートの第１の壁部１４Ｑ１の最大幅は、インサートの第２の壁部１４Ｑ２の最大幅よりも大きい大きさを有することができる。
【手続補正５】
【補正対象書類名】明細書
【補正対象項目名】００６６
【補正方法】変更
【補正の内容】
【００６６】
図３Ｄを参照すると、穴の第１の端面３２Ｂ１には、第１のクランピングリップ３２Ｃ１が形成される。この限定されない一例では、第１のクランピングリップ３２Ｃ１は、インサートの縦軸線ＡILに垂直な方向に穴の第１の端面３２Ｂ１に沿って延びる。第１のクランピングリップ３２Ｃ１は、インサート二等分平面ＰIBに対して傾斜されており、インサート上面１４Ａよりインサート下面１４Ｂに近い軸方向位置で挿入穴の中心ＣIAにより近い第１のクランピングリップの上部当接部分３２Ｄ１を形成することができる。言い換えれば、第１のクランピングリップの上部当接部分３２Ｄ１は、側断面図中のインサート上面１４Ａからインサート二等分平面ＰIBに向かって下方内向きに傾斜する。第１のクランピングリップ３２Ｃ１は、挿入穴の中に最も遠くに突出する突出部３２Ｅ１を有することができる。突出部３２Ｅ１は、インサートの上面１４Ａと下面１４Ｂとの間に位置することができ、インサートの上面１４Ａおよび下面１４Ｂから離間して配置される。本図では、第１のクランピングリップ３２Ｃ１は、先細り形状を有するように示される。